(57)【要約】【課題】  対象物のサイズが予め揃っていなくとも、画像に含まれる対象物の位置とサイズを揃えて複数の画像を自動整列することができる画像レイアウトシステムを提供する。【解決手段】画像編集装置３は、自動整列の対象となる画像毎に、画像に含まれる対象物の原点を示す第１の基準点と、第１の基準点と対になり、対象物の特徴的な長さを示す第２の基準点をユーザに設定させ、ユーザが設定したこれらの基準点を画像に付加して記憶する。ページレイアウト装置２は、画像を自動整列する規則を示す整列規則情報と、対象物の特徴的な長さを正規化する長さを示すスケール情報をユーザに設定させるパラメータ設定手段２０と、画像に付加されている第１の基準点と第２の基準点間の長さがスケール情報に適合するように画像を拡大／縮小する処理と、第１の基準点を整列規則情報から求めた配置位置に配置する処理を画像毎に行う画像レイアウト手段２１を備えている。【選択図】図２
2013182419.tif 000002
【特許請求の範囲】
【請求項１】
複数の画像を自動整列する画像レイアウトシステムであって、
自動整列の対象となる画像に含まれる対象物の原点を示す第１の基準点と、前記第１の基準点と対になり、前記対象物の特徴的な長さを示す第２の基準点をユーザに設定させ、ユーザが設定した前記第１の基準点と前記第２の基準点を前記画像に付加して記憶する基準点設定手段を、
備えた画像編集装置と、
ページレイアウト上に配置された前記画像を自動整列させる規則を示す整列規則情報と、前記対象物の特徴的な長さを正規化する長さを示すスケール情報を自動整列のパラメータとしてユーザに設定させるパラメータ設定手段と、
ページレイアウト上に配置された前記画像を対象として、前記第１の基準点と前記第２の基準点間の長さが前記スケール情報に適合するように、縦横比を固定した状態で画像を拡大／縮小する処理と、前記整列規則情報を参照して前記第１の基準点の配置位置を求め、前記第１の基準点がこの配置位置になるように前記画像を移動させる処理を行う画像レイアウト手段と、
を備えたページレイアウト装置と、
から少なくとも構成されたことを特徴とする画像レイアウトシステム。
【請求項２】
前記画像編集装置の前記基準点設定手段は、前記第１の基準点と対になり前記対象物の軸線を示す第３の基準点をユーザに設定させ、ユーザが設定した前記第３の基準点を前記画像に付加して記憶し、
前記ページレイアウト装置の前記パラメータ設定手段は、自動整列のパラメータの一つとして、前記対象物の角度を示すレイアウト角度をユーザに設定させ、前記ページレイアウト装置の前記画像レイアウト手段は、前記第１の基準点と前記第３の基準点で定義される軸線と定められた座標軸がなす角度が前記レイアウト角度になるように前記画像を回転させる処理を行う、
ことを特徴とする請求項１に記載した画像レイアウトシステム。
【請求項３】
前記ページレイアウト装置の前記パラメータ設定手段は、前記整列規則情報として、第１の補助線と、前記第１の補助線上のレイアウト原点と、前記第１の基準点の間隔となるオフセット値をユーザに設定させ、更に、前記スケール情報として、前記第１の補助線と平行な第２の補助線をユーザに設定させ、
前記ページレイアウト装置の前記画像レイアウト手段は、前記画像を自動整列する順番、レイアウト原点およびオフセット値から配置位置を算出し、前記第１の基準点がこの配置位置になるように前記画像を移動させた後、前記第２の補助線上に前記第２の基準点がくるように画像を拡大／縮小する、
ことを特徴とする請求項１又は２に記載した画像レイアウトシステム。
【請求項４】
前記ページレイアウト装置の前記画像レイアウト手段は、前記第３の基準点が設定されていない場合、前記第２の基準点を前記第３の基準点として利用することを特徴とする、請求項２又は３に記載した画像レイアウトシステム。
【請求項５】
複数の画像を自動整列するため画像を編集する画像編集装置であって、
自動整列の対象となる画像に含まれる対象物の原点を示す第１の基準点と、前記第１の基準点と対になり、前記対象物の特徴的な長さを示す第２の基準点をユーザに設定させ、ユーザが設定した前記第１の基準点と前記第２の基準点を前記画像に付加して記憶する基準点設定手段を、
備えたことを特徴とする画像編集装置。
【請求項６】
前記基準点設定手段は、前記第１の基準点と対になり前記対象物の軸線を示す第３の基準点をユーザに設定させ、ユーザが設定した前記第３の基準点を前記画像に付加して記憶する、
ことを特徴とする請求項５に記載の画像編集装置。
【請求項７】
対象物の原点を示す第１の基準点と、前記第１の基準点と対になり、対象物の特徴的な長さを示す第２の基準点が付加された複数の画像を自動整列するページレイアウト装置であって、
ページレイアウト上に配置された前記画像を自動整列させる規則を示す整列規則情報と、前記対象物の特徴的な長さを正規化する長さを示すスケール情報を自動整列のパラメータとしてユーザに設定させるパラメータ設定手段と、
ページレイアウト上に配置された前記画像を対象として、前記第１の基準点と前記第２の基準点間の長さが前記スケール情報に適合するように、縦横比を固定した状態で画像を拡大／縮小する処理と、前記整列規則情報を参照して前記第１の基準点の配置位置を求め、前記第１の基準点がこの配置位置になるように前記画像を移動させる処理とを行う画像レイアウト手段と、
を備えたことを特徴とするページレイアウト装置。
【請求項８】
前記画像には、前記第１の基準点、前記第２の基準点に加え、前記第１の基準点と対になり前記対象物の軸線を示す第３の基準点が付加され、
前記パラメータ設定手段は、自動整列のパラメータの一つとして、前記対象物の角度を示すレイアウト角度をユーザに設定させ、
前記画像レイアウト手段は、前記第１の基準点と前記第３の基準点で定義される軸線と定められた座標軸がなす角度が前記レイアウト角度になるように前記画像を回転させる処理を行う、
ことを特徴とする請求項７に記載したページレイアウト装置。
【請求項９】
前記パラメータ設定手段は、前記整列規則情報として、第１の補助線と、前記第１の補助線上のレイアウト原点と、前記第１の基準点の間隔となるオフセット値をユーザに設定させ、更に、前記スケール情報として、前記第１の補助線と平行な第２の補助線をユーザに設定させ、
前記画像レイアウト手段は、前記画像を自動整列する順番、レイアウト原点およびオフセット値から配置位置を算出し、前記第１の基準点がこの配置位置になるように前記画像を移動させた後、前記第２の補助線上に前記第２の基準点がくるように画像を拡大／縮小する、
ことを特徴とする請求項７又は８に記載したページレイアウト装置。
【請求項１０】
前記画像レイアウト手段は、前記第３の基準点が設定されていない場合、前記第２の基準点を前記第３の基準点として利用することを特徴とする、請求項８又は９に記載したページレイアウト装置。
【発明の詳細な説明】
【技術分野】
【０００１】
本発明は、複数の画像を自動整列するための技術に関し、更に詳しくは、画像に含まれる対象物を基準として、複数の画像を自動整列するための技術に関する。
【背景技術】
【０００２】
ＤＴＰソフトウェア（DTP: DeskTop Publishing）により、通信販売のカタログ冊子やショッピングサイトのような、複数の画像を１ページに掲載するコンテンツを作成する場合、各々の画像毎に位置等を揃える作業が必要になるが、この作業は面倒なため、ＤＴＰソフトウェアの中には、複数の画像を自動整列する機能を備えたものが市販されている。
【０００３】
しかし、画像には、画像の対象となる対象物（例えば、商品）以外の背景も含まれるため、画像の位置等を揃えても、画像に含まれる対象物の位置等が揃うとは限らず、複数の画像を自動整列する際は、画像に含まれる対象物の位置等が揃うように自動整列できることが望まれる。
【０００４】
画像に含まれる対象物の位置が揃うように複数の画像をレイアウトする手法として、特許文献１では、対象物に設定している基準点を所定の配置位置に合わせることで、対象物の位置を揃えてレイアウトする手法が開示されている。しかし、この手法では、対象物の位置を揃えて複数の画像をレイアウトすることはできるが、対象物のサイズが予め揃っていなければ、対象物のサイズを揃えて複数の画像をレイアウトすることはできなかった。
【先行技術文献】
【特許文献】
【０００５】
【特許文献１】特開２００９−１５５４０号公報
【特許文献２】特開平９−１６７９３号公報
【発明の概要】
【発明が解決しようとする課題】
【０００６】
そこで、本発明は、対象物のサイズが予め揃っていなくとも、画像に含まれる対象物の位置とサイズを揃えて複数の画像を自動整列することができる画像レイアウトシステムを提供することを目的とし、更に、この画像レイアウトシステムに必要な装置も提供する。
【課題を解決するための手段】
【０００７】
上述した課題を解決する第１の発明は、複数の画像を自動整列する画像レイアウトシステムであって、この画像レイアウトシステムには、画像編集装置とページレイアウト装置が含まれる。
【０００８】
前記画像編集装置は、画像の位置を揃えるための基準点として、自動整列の対象となる画像に含まれる対象物の原点を示す第１の基準点と、画像のサイズを揃えるための基準点として、前記第１の基準点と対になり、前記対象物の特徴的な長さを示す第２の基準点をユーザに設定させ、ユーザが設定した前記第１の基準点と前記第２の基準点を前記画像に付加して記憶する基準点設定手段を備える。
【０００９】
また、第１の発明において、前記ページレイアウト装置は、画像の位置を揃えるために、ページレイアウト上に配置された前記画像を自動整列させる規則を示す整列規則情報と、画像のサイズを揃えるために、前記対象物の特徴的な長さを正規化する長さを示すスケール情報を自動整列のパラメータとしてユーザに設定させるパラメータ設定手段を備える。
【００１０】
また、ページレイアウト装置は、ページレイアウト上に配置された前記画像を対象とし、画像のサイズを揃えるために、前記第１の基準点と前記第２の基準点間の長さが前記スケール情報に適合するように、縦横比を固定した状態で画像を拡大／縮小する処理と、画像の位置を揃えるために、前記整列規則情報を参照して前記第１の基準点の配置位置を求め、前記第１の基準点がこの配置位置になるように前記画像を移動させる処理を行う画像レイアウト手段を備える。
【００１１】
更に、第２の発明は、第１の発明に記載した画像レイアウトシステムにおいて、前記画像編集装置の前記基準点設定手段は、画像の角度を揃えることができるように、前記第１の基準点と対になり前記対象物の軸線を示す第３の基準点をユーザに設定させ、ユーザが設定した前記第３の基準点を前記画像に付加して記憶する。
【００１２】
また、前記ページレイアウト装置の前記パラメータ設定手段は、画像の角度を揃えることができるように、自動整列のパラメータの一つとして、前記対象物の角度を示すレイアウト角度をユーザに設定させ、前記ページレイアウト装置の前記画像レイアウト手段は、画像の角度を揃えることができるように、前記第１の基準点と前記第３の基準で定義される軸線と定められた座標軸がなす角度が前記レイアウト角度になるように前記画像を回転させる処理を行うことを特徴とする。
【００１３】
更に、第３の発明は、第１の発明又は第２の発明に記載した画像レイアウトシステムにおいて、前記整列規則情報と前記スケール情報の設定を容易にするために、前記ページレイアウト装置の前記パラメータ設定手段は、前記整列規則情報として、第１の補助線と、前記第１の補助線上のレイアウト原点と、前記第１の基準点の間隔となるオフセット値をユーザに設定させ、更に、前記スケール情報として、前記第１の補助線と平行な第２の補助線をユーザに設定させ、前記ページレイアウト装置の前記画像レイアウト手段は、前記画像を自動整列する順番、レイアウト原点及びオフセット値から配置位置を算出し、前記第１の基準点がこの配置位置になるように前記画像を移動させた後、前記第２の補助線上に前記第２の基準点がなるように画像を拡大／縮小することを特徴とする。
【００１４】
更に、第４の発明は、第２の発明又は第３の発明に記載した画像レイアウトシステムにおいて、基準点の設定数を減らすことができるように、前記ページレイアウト装置の前記画像レイアウト手段は、前記第３の基準点が設定されていない場合、前記第２の基準点を前記第３の基準点として利用することを特徴とする。
【００１５】
更に、第５の発明は、第１の発明に記載した画像レイアウトシステムを構成する画像編集装置で、第６の発明は、第２の発明に記載した画像レイアウトシステムを構成する画像編集装置である。
【００１６】
更に、第７の発明は、第１の発明に記載した画像レイアウトシステムを構成するページレイアウト装置で、第８の発明は、第２の発明に記載した画像レイアウトシステムを構成するページレイアウト装置で、第９の発明は、第３の発明に記載した画像レイアウトシステムを構成するページレイアウト装置で、第１０の発明は、第４の発明に記載した画像レイアウトシステムを構成するページレイアウト装置である。
【発明の効果】
【００１７】
上述した発明によれば、対象物のサイズが予め揃っていなくとも、画像に含まれる対象物の位置とサイズを揃えて、複数の画像を自動整列することができる画像レイアウトシステム等を提供することができる。
【００１８】
詳しくは、自動整列の対象となるそれぞれの画像は、整列規則情報から求められた配置位置に第１の基準点がくるように自動整列して配置され、この際、画像のサイズは、第１の基準点と第２の基準点間の長さがスケール情報に適合するように正規化される。
【図面の簡単な説明】
【００１９】
【図１】本実施形態に係る画像レイアウトシステムの構成を説明する図。
【図２】本実施形態に係る画像レイアウトシステムの各装置に備えられる機能を説明する図。
【図３】基準点の設定例を説明する図。
【図４】自動整列のパラメータの設定例を説明する図。
【図５】画像を自動整列する内容を説明する図。
【図６】複数の画像を自動整列する際の動作を説明するフロー図。
【図７】第１の基準点を設定する内容を説明する図。
【図８】第２の基準点を設定する内容を説明する図。
【図９】第１の補助線を設定する内容を説明する図。
【図１０】第２の補助線を設定する内容を説明する図。
【図１１】レイアウト原点を設定する内容を説明する図。
【図１２】オフセット値を設定する内容を説明する図。
【図１３】レイアウト角度を設定する内容を説明する図。
【図１４】自動整列後のページを説明する図。
【発明を実施するための形態】
【００２０】
ここから、本発明の好適な実施形態について、図面を参照しながら詳細に説明する。なお、これから説明する実施形態は、本発明の１実施形態にしか過ぎず、本発明は、これから説明する実施形態に限定されることなく、種々の変形や変更が可能である。
【００２１】
図１は、本実施形態に係る画像レイアウトシステム１の構成を説明する図で、図２は、本実施形態に係る画像レイアウトシステム１の各装置に備えられる機能を説明する図である。
【００２２】
図１に図示したように、本実施形態に係る画像レイアウトシステム１は、ディスプレイ、キーボード及びポインティングデバイス（例えば、マウス）などが接続された汎用のコンピュータで実現される装置で、ＰｈｏｔｏＳｈｏｐ（登録商標）のような画像編集ソフトウェアが実装された画像編集装置３と、ディスプレイ、キーボードおよびポインティングデバイス（例えば、マウス）などが接続された汎用のコンピュータで実現される装置で、InDesign（登録商標）やQuarkXpress（登録商標）など、カタログやチラシなどのページをレイアウトするＤＴＰソフトウェア（DTP: Desktop Publishing）が実装されたページレイアウト装置２とから少なくとも構成される。
【００２３】
図２に図示したように、画像編集ソフトウェアのプラグインによって備えられる機能として、画像編集装置３は、自動整列の対象となる画像毎に、画像に含まれる対象物の原点を示す第１の基準点と、第１の基準点と対になり、対象物の特徴的な長さを示す第２の基準点と、第１の基準点と対になり対象物の軸線を示す第３の基準点をユーザに設定させ、ユーザが設定したこれらの基準点を画像に付加して記憶する基準点設定手段３０を備える。
【００２４】
画像編集装置３の基準点設定手段３０は、ユーザに各基準点を設定させるとき、基準点を設定する画像をユーザに選択させ、ポインティングデバイスにより各基準点を画像上に設定させた後、ユーザが設定した各基準点の座標を画像に付加して記憶する。
【００２５】
なお、各基準点の座標を画像に付加して記憶する際、ＴＩＦＦやＪＰＥＧ、ＥＰＳのファイル形式では、画像そのもののデータとは別にコメント情報を組み込むことが可能なので、各基準点の座標をコメント情報として記憶するとよい。
【００２６】
図３は、基準点の設定例を説明する図である。図３（ａ）は、対象物をコーヒーカップ４ｂとした例で、コーヒーカップ４ｂを含む画像４ａを点線で示している。図３（ａ）では、画像４ａに含まれる対象物の原点となる第１の基準点４ｃを、コーヒーカップ４ｂの底面の左端に設定している。
【００２７】
また、対象物の特徴的な長さがコーヒーカップ４ｂの底面の長さになるように、第１の基準点４ｃと対になり、対象物の特徴的な長さを示す第２の基準点４ｄをコーヒーカップ４ｂの底面の右端に設定している。更に、対象物の軸線がコーヒーカップ４ｂの上下方向になるように、第１の基準点４ｃと対になり対象物の軸線を示す第３の基準点４ｅをコーヒーカップ４ｂの飲み口の左端に設定している。
【００２８】
図３（ｂ）は、対象物を筆記用具４ｇとした例で、筆記用具４ｇを含む画像４ｆを点線で示している。図３（ｂ）では、画像４ｆに含まれる対象物の原点となる第１の基準点４ｈを筆記用具４ｇのペン先に設定している。また、対象物の特徴的な長さが筆記用具４ｇの長さになるように、第１の基準点４ｈと対になり、対象物の特徴的な長さを示す第２の基準点４ｉを筆記用具４ｇの尻軸に設定している。なお、図３（ｂ）では、第１の基準点４ｈと対になり対象物の軸線を示す第３の基準点を設定せず、第２の基準点４ｉを第３の基準点としても利用することで、対象物の軸線を筆記用具４ｇの軸線としている。
【００２９】
図２の説明に戻る。図２に図示したように、ＤＴＰソフトウェアのプラグインによって備えられる機能の１つとして、ページレイアウト装置２は、ページ上に配置された画像を自動整列する規則を示す整列規則情報と、対象物の特徴的な長さを正規化する長さを示すスケール情報と、対象物の角度を示すレイアウト角度を自動整列のパラメータとしてユーザに設定させるパラメータ設定手段２０を備える。
【００３０】
図４は、自動整列のパラメータの設定例を説明する図である。図４では、対象物を筆記用具５ｂとし、筆記用具５ｂを含む画像５ａには、第１の基準点５ｃと第２の基準点５ｄが設定されている。
【００３１】
整列規則情報、スケール情報およびレイアウト角度をユーザに設定させる内容は任意であるが、図４では、整列規則情報として、第１の補助線５ｅと、第１の補助線５ｅ上のレイアウト原点５ｆと、第１の基準点５ｃの間隔となるオフセット値Δｄをユーザに設定させ、自動整列する順番、レイアウト原点５ｆおよびオフセット値Δｄから、第１の基準点５ｃの配置位置を自動的に算出できるようにしている。また、スケール情報として、第１の補助線５ｅと平行な第２の補助線５ｇをユーザに設定させ、オフセット値Δｄとレイアウト角度θはユーザに数値入力させるようにしている。
【００３２】
なお、これらの情報を設定する内容は一例にしが過ぎず、例えば、整列規則情報に関しては、画像毎にグリッドや座標をユーザに指定させるようにすることもできる。また、スケール情報に関しては、レイアウト角度と同様に数値入力させるようにすることもできる。
【００３３】
図２の説明に戻る。図２に図示したように、ＤＴＰソフトウェアのプラグインによって備えられる機能の１つとして、ページレイアウト装置２は、第１の基準点と第３の基準で定義される軸線と定められた座標軸がなす角度がレイアウト角度になるように画像を回転させる処理と、画像に付加されている第１の基準点と第２の基準点間の長さがスケール情報に適合するように、縦横比を固定した状態で画像を拡大／縮小する処理と、画像に付加されている第１の基準点を整列規則情報から求めた配置位置に配置する処理を画像毎に行うことで、複数の画像を自動整列する画像レイアウト手段２１を備えている。
【００３４】
図５は、画像を自動整列する内容を説明する図である。図５において、対象物である筆記用具６ｂが含まれる画像６ａには、図３（ｂ）と同様に第１の基準点６ｃと、第３の基準点としての役割をも果たす第２の基準点６ｄが設定されている。
【００３５】
更に、図４を用いて説明したように、自動整列のパラメータとして、レイアウト原点６ｆが設定された第１の補助線６ｅおよび第２の補助線６ｇが設定され、数値入力により、オフセット値Δｄとレイアウト角度θが入力されている。
【００３６】
図５の画像を自動整列する際、まず、図５（ｂ）に図示したように、第１の基準点６ｃと第２の基準点６ｄで示される軸線と所定の座標軸（ここでは、ｘ軸）がなす角度がレイアウト角度θになるように、画像６ａ全体を回転させる。
【００３７】
次に、図５（ｃ）に図示したように、画像６ａに対応する配置位置に第１の基準点６ｃが揃うように、画像６ａ全体を移動させる。なお、画像６ａに対応する配置位置は、画像６ａを自動整列する順番、オフセット値Δｄおよびレイアウト原点６ｆから演算することができ、ここでは、画像６ａを自動整列する順番を２番目としているため、画像に対応する配置位置は、レイアウト原点６ｆからオフセット値Δｄだけ移動させた第１の補助線上６ｅの座標になる。
【００３８】
そして、図５（ｄ）に図示したように、スケール情報である第２の補助線６ｇ上に第２の基準点６ｄがくるように、画像６ａに付加されている第１の基準点６ｃを拡大／縮小の原点とし、縦横比を固定した状態で画像を拡大／縮小する。
【００３９】
なお、図５で説明した手順は一例にしか過ぎず、第１の基準点６ｃを第１の補助線６ｅ上の任意の箇所に合わせた後、画像６ａを回転、拡大／縮小してから、第１の基準点６ｃを配置位置に合わせるようにすることもできる。
【００４０】
ここから、複数の画像を自動整列する際の動作について説明する。図６は、複数の画像を自動整列する際の動作を説明するフロー図である。なお、基準点としては、第１の基準点、第２の基準点および第３の基準点を設定することもできるが、ここでは、第１の基準点と、第３の基準点としての役割をも果たす第２の基準点の２つを設定するものとする。
【００４１】
複数の画像を自動整列するとき、まず、自動整列の対象となる画像に基準点を設定する基準点設定工程Ｐ１が実施される。この基準点設定工程Ｐ１は、画像編集装置３の基準点設定手段３０にて実施される工程で、この基準点設定工程Ｐ１において、ユーザは、画像編集装置３が記憶している画像の中から画像を選択した後（Ｓ１）、選択した画像に基準点を設定し（Ｓ２）、設定した基準点を画像に付加した状態で画像編集装置３に記憶させる（Ｓ３）。
【００４２】
図７は、第１の基準点を設定する内容を説明する図である。図７において、基準点を画像に設定するプラグインが組み込まれることで、画像編集ソフトウェアのツールバー７には、基準点の設定に係るメニューを表示させるための基準点ボタン７０が表示されている。
【００４３】
ツールバー７の基準点ボタン７０を選択すると、基準点の設定に係るメニューとして、第１の基準点の設定７１、第２の基準点の設定７２及び保存７３が表示され、基準点の設定に係るメニューの中から第１の基準点の設定７１を選択することで、第１の基準点を設定することが可能になり、図７では、画像７ａに含まれる筆記用具７ｂのペン先に第１の基準点７ｃが設定されている。
【００４４】
図８は、第２の基準点を設定する内容を説明する図である。なお、図８では、図７と同じ符号を付している。
【００４５】
第１の基準点と同様に、基準点の設定に係るメニューの中から第２の基準点の設定７２を選択することで、第２の基準点を設定することが可能になり、図８では、筆記用具７ｂの尻軸に第２の基準点７ｄが設定されている。
【００４６】
ユーザは、第１の基準点７ｃと第２の基準点７ｄを設定した後に、基準点の設定に係るメニューの中から保存７３を選択することで、第１の基準点７ｃと第２の基準点７ｄの座標が画像７ａに付加された状態で保存される。
【００４７】
図６の説明に戻る。自動整列の対象となる画像に基準点を設定する基準点設定工程Ｐ１が実施されると、自動整列に係るパラメータをユーザが設定するパラメータ設定工程Ｐ２が実施される。このパラメータ設定工程Ｐ２は、ページレイアウト装置２のパラメータ設定手段２０にて実施される工程で、このパラメータ設定工程Ｐ２において、ユーザは、ページレイアウト装置２を操作して、基準点が設定された画像を自動整列する際のパラメータを設定する（Ｓ４）。
【００４８】
なお、ここでは、整列規則情報として、第１の補助線と、第１の補助線上のレイアウト原点と、第１の基準点の間隔となるオフセット値を、スケール情報として、第１の補助線と平行な第２の補助線をそれぞれ設定し、更に、レイアウト角度を数値入力するものとする。
【００４９】
図９は、第１の補助線を設定する内容を説明する図である。複数の画像を自動整列するプラグインが組み込まれることで、ＤＴＰソフトウェアのツールバー８には、自動整列に係るメニューを表示させるための自動整列ボタン８０が表示されている。
【００５０】
自動整列の対象となる画像８ａ１〜３はページ上におおまかに配置され、画像８ａ１の対象物は筆記用具８ｂ１で、画像８ａ２の対象物は筆記用具８ｂ２で、画像８ａ３の対象物は筆記用具８ｂ３である。また、画像編集装置３によって、第１の基準点８ｃ１と第２の基準点８ｄ１が画像８ａ１に、第１の基準点８ｃ２と第２の基準点８ｄ２が画像８ａ２に、そして、第１の基準点８ｃ３と第２の基準点８ｄ３が画像８ａ３にそれぞれ設定されている。
【００５１】
自動整列に係るメニューの中からパラメータの設定８１が選択されると、パラメータ設定の８１に係るサブメニューとして、第１の補助線の設定８３、第２の補助線の設定８４、レイアウト原点の設定８５、オフセット値の設定８６及びレイアウト角度の設定８７が表示される。
【００５２】
パラメータの設定８１に係るサブメニューの中から第１の補助線の設定８３が選択されると、ページレイアウト装置２のパラメータ設定手段２０は、ポインティングデバイスを用いて第１の補助線をページ上に設定できるようにし、図９では、ページの下側に第１の補助線８ｅがｘ軸と平行になるように設定されている。
【００５３】
図１０は、第２の補助線を設定する内容を説明する図である。なお、図１０では、図９と同じ符号を付している。
【００５４】
パラメータの設定８１に係るサブメニューの中から第２の補助線の設定８４が選択されると、ページレイアウト装置２のパラメータ設定手段２０は、ポインティングデバイスを用いて第２の補助線をページ上に設定できるようにし、図１０では、第１の補助線８ｅの上側に、第１の補助線８ｅと平行になるように第２の補助線８ｇが設定されている。
【００５５】
図１１は、レイアウト原点を設定する内容を説明する図である。なお、図１１では、図１０と同じ符号を付している。
【００５６】
パラメータの設定８１に係るサブメニューの中からレイアウト原点の設定８５が選択されると、ページレイアウト装置２のパラメータ設定手段２０は、ポインティングデバイスを用いて第１の補助線８ｅ上にレイアウト原点を設定できるようにし、図１１では、筆記用具８ｂ１のペン先の近傍にレイアウト原点８ｆが設定されている。
【００５７】
図１２は、オフセット値を設定する内容を説明する図である。なお、図１２では、図１１と同じ符号を付している。
【００５８】
パラメータ設定８１に係るサブメニューの中からオフセット値の設定８６が選択されると、ページレイアウト装置２のパラメータ設定手段２０は、オフセット値を入力するためのダイアログ８ｈを表示し、図１２では、オフセット値として２５ｍｍが設定されている。
【００５９】
図１３は、レイアウト角度を設定する内容を説明する図である。なお、図１３では、図１２と同じ符号を付している。
【００６０】
パラメータ設定８１に係るサブメニューの中からレイアウト角度の設定８７が選択されると、ページレイアウト装置２のパラメータ設定手段２０は、レイアウト角度を入力するためのダイアログ８ｉを表示し、図１３では、レイアウト角度として７０度が設定されている。
【００６１】
図６の説明に戻る。自動整列に係るパラメータをユーザが設定するパラメータ設定工程Ｐ２が実施されると、基準点が設定された画像を自動整列する画像レイアウト工程Ｐ３が実施される。この画像レイアウト工程Ｐ３は、ページレイアウト装置２の画像レイアウト手段２１にて実施される工程で、この画像レイアウト工程Ｐ３において、ページレイアウト装置２の画像レイアウト手段２１は、ページ上に配置され、基準点が設定された画像を、パラメータ設定工程｀２で設定されたパラメータに従い自動整列して（Ｓ５）、図６の手順は終了する。
【００６２】
図１４は、自動整列後のページを説明する図である。なお、図１４では、図１３と同じ符号を付している。また、図１４では、説明を分かり易くするために基準点や補助線など、自動整列のために設定された図形を図示しているが、自動整列を実行するとこの図形は画面に表示されない。
【００６３】
自動整列に係るメニューの中から実行８２が選択されると、ページレイアウト装置２の画像レイアウト手段２１が作動し、ページレイアウト装置２の画像レイアウト手段２１は、ページレイアウト装置２のパラメータ設定手段２０が取得したパラメータに従い、基準点が設定された画像を自動整列する。
【００６４】
図１４において、自動整列の対象となる画像８ａ１は、第１の基準点８ｃ１と第２の基準点８ｄ１で示される軸線と座標軸（ここでは、ｘ軸）がなす角度がレイアウト角度θになるように、画像８ａ１が回転している。なお、他の画像８ａ２、３についても同様である。
【００６５】
また、自動整列の対象となる画像８ａ１〜３の配置位置は、画像を自動整列する順番、オフセット値Δｄおよびレイアウト原点から演算され、配置位置は、第１の補助線８ｅ上において、（自動整列する順番−１）×オフセット値Δｄだけレイアウト原点８ｆから離れた位置になる。
【００６６】
自動整列は、レイアウト原点８ｆから近い順になされ、画像８ａ１の順番は１番目で、画像８ａ２の順番は２番目で、画像８ａ３の順番は３番目である。よって、画像８ａ１の配置位置はレイアウト原点８ｆになり、真ん中の画像８ａ２の配置位置は、レイアウト原点８ｆからオフセット値Δｄだけ離れた第１の補助線８ｅ上の位置になる。また、右の画像８ａ３の配置位置は、レイアウト原点８ｆからオフセット値Δｄの２倍だけ離れた第１の補助線８ｅ上の位置になる。
【００６７】
更に、自動整列の対象となる画像８ａ１のサイズは、画像８ａ１に設定された第２の基準点８ｄ１が第２の補助線８ｇ上になるように拡大／縮小されている。なお、他の画像８ａ２、３についても同様である。
【符号の説明】
【００６８】
１    画像レイアウトシステム
２    ページレイアウト装置
２０  パラメータ設定手段
２１  画像レイアウト手段
３    画像編集装置
３０  基準点設定手段
【図１】
2013182419.tif 000003
【図２】
2013182419.tif 000004
【図３】
2013182419.tif 000005
【図４】
2013182419.tif 000006
【図５】
2013182419.tif 000007
【図６】
2013182419.tif 000008
【図７】
2013182419.tif 000009
【図８】
2013182419.tif 000010
【図９】
2013182419.tif 000011
【図１０】
2013182419.tif 000012
【図１１】
2013182419.tif 000013
【図１２】
2013182419.tif 000014
【図１３】
2013182419.tif 000015
【図１４】
2013182419.tif 000016